(57)【要約】【課題】眼鏡フレームに入ったレンズを光軸方向に正確に位置決めできるレンズメータを提供する。【解決手段】レンズメータ１において、測定光の光路の外側で保持され、測定用マスク１４を貫通する測定光を通過させる透光穴１８，１９が形成されたベース部材１５に、上向きに突出する複数の支持突起１６を設け、支持突起１６と、測定光の光路内に下向きに突出する押さえ突起１１との間に、被検レンズ７を挟み込んで保持する。【選択図】図４
2008008719.tif 000002
【特許請求の範囲】
【請求項１】
測定光の光路内に上向きに突出する複数の支持突起と、前記測定光の光路内に下向きに突出する押さえ突起とで被検レンズを挟み込んで保持することを特徴とするレンズメータ。
【請求項２】
前記支持突起は、前記測定光の光路の外側で保持されるベース部材の上に突設され、
前記ベース部材は、測定用マスクを貫通する前記測定光を通過させる透光部が形成されていることを特徴とする請求項１に記載のレンズメータ。
【請求項３】
前記ベース部材は、前記測定用マスクの射影内を延伸して前記複数の支持突起を互いに連結する補強リブを有することを特徴とする請求項２に記載のレンズメータ。
【発明の詳細な説明】
【技術分野】
【０００１】
本発明は、レンズメータに関する。
【背景技術】
【０００２】
レンズの屈折特性を測定するレンズメータでは、特許文献１に記載されているように、測定光の光路の外側でレンズの下面を支持し、測定光の光路の外側で、ピン状の部材でレンズを押さえ込む構造が知られている。
【０００３】
しかし、特許文献１のレンズメータは、レンズ狭域を測定するものであり、累進レンズの累進帯をマッピング表示するレンズメータでは、レンズの略全域をカバーするような広範囲に測定光を投光する必要があるので、測定光の外側でレンズの下面を支持することは困難である。
【０００４】
このため、広域を測定するレンズメータでは、眼鏡フレームを保持する構造が採用されているが、図１０に示すように、眼鏡フレームを基準にして位置決めをすると、眼鏡によって測定の基準となるレンズ裏面の高さが異なるために、光軸方向の位置決めが正確に行えないという問題があった。
【特許文献１】特開２００５−１５６１７４号公報
【発明の開示】
【発明が解決しようとする課題】
【０００５】
前記問題点に鑑みて、眼鏡フレームに入ったレンズを光軸方向に正確に位置決めできるレンズメータを提供することを課題とする。
【課題を解決するための手段】
【０００６】
前記課題を解決するために、本発明によるレンズメータは、測定光の光路内に上向きに突出する複数の支持突起と、前記測定光の光路内に下向きに突出する押さえ突起とで被検レンズを挟み込んで保持するものとする。
【０００７】
この構成によれば、支持突起および押さえ突起は、測定光と平行に突出するので測定光を殆ど遮光しない。よって、支持突起および押さえ突起は、測定に影響を与えずに、被検レンズを測定光の光軸付近で保持することができる。このため、本発明のレンズメータは、被検レンズの裏面高さを正確に位置決めすることができる。
【０００８】
また、本発明のレンズメータにおいて、前記支持突起は、前記測定光の光路の外側で保持されるベース部材の上に突設され、前記ベース部材は、測定用マスクを貫通する前記測定光を通過させる透光部が形成されていてもよい。
【０００９】
この構成によれば、簡単な構成で、支持突起を測定光の光路内に設けることができる。また、測定光の光路を横断するベース部材に投光穴を形成したことで、測定光の実効成分を遮光せず、測定を阻害しない。
【００１０】
また、本発明のレンズメータにおいて、前記ベース部材は、前記測定用マスクの射影内を延伸して前記複数の支持突起を互いに連結する補強リブを有してもよい。
【００１１】
この構成によれば、測定光を遮光しないように支持突起を連結することで材料の弾性による支持突起の倒れを防止して、位置決め精度を向上させることができる。
【発明の効果】
【００１２】
本発明によれば、測定光の光路内に上向きに突出する複数の支持突起の上に被検レンズを載置するので、測定の基準となるレンズ裏面の高さを正確に位置決めできる。
【発明を実施するための最良の形態】
【００１３】
これより、本発明の実施形態について、図面を参照しながら説明する。
図１および図２に、本発明の第１実施形態のレンズメータ１を示す。レンズメータ１は、表面に表示装置２を備え、内部に測定光を投光する光学系を備える投光部３と、投光部３の下方で被検レンズを保持する保持部４と、被検レンズを通過した測定光を受光する光学系を収容した受光部５とを有する。
【００１４】
保持部４には、図３および図４に示すように、眼鏡６の被検レンズ７または眼鏡フレームに当接して位置決めできる当接板８と、受光部５の頂部に載置され、被検レンズ７を支持する支持部材９と、被検レンズ７を支持部材９との間に挟み込む押さえ装置１０とを備える。押さえ装置１０は、下向きに突出して被検レンズ７の上面に当接する押さえ突起１１を有するアーム１２をばね１３で下向きに付勢している。また、受光部５には、支持部材９の下に測定用マスク１４が収容されている。
【００１５】
図５に、支持部材９と測定用マスク１４の詳細を示す。図示する測定用マスク１４は、被検レンズ７の広域を測定するためのものである。支持部材９は、板状のベース部材１５の上に、３本の、上向きに突出する柱状の支持突起１６が設けられている。ベース部材１５は、３本の支持突起１６を互いに連結する補強リブ１７を有しており、支持突起１６の倒れを防止している。また、ベース部材１５は、縦横に等ピッチで整列した小径の配列透光穴（透光部）１８と、中央部に大きく開口した中央透光穴（透光部）１９とが形成されている。測定用マスク１４は、支持部材９の配列透光穴１８と等ピッチで配列した、非常に小さい測定開口２０を有している。
【００１６】
図６に、レンズメータ１の光学的な構成を簡略化して示す。投光部３の中には、点光源であるＬＥＤ２１と、ＬＥＤ２１の光を略平行な測定光にして投光する投光レンズ２２とが収容されている。受光部５には、測定用マスク１４の下に、測定光を収束させる結像レンズ２３と、収束した測定光を受光して電気信号に変換するＣＣＤセンサ２４とが収容されている。
【００１７】
支持部材９は、破線で示す、ＬＥＤ２１から発せられてＣＣＤセンサ２４の有効領域に至る測定光の光路の外側で保持されている。また、支持部材９の支持突起１６および押さえ装置１０の押さえ突起１１は、測定光の光路内に配置されている。
【００１８】
図７に、支持部材９、押さえ装置１０および測定用マスク１４の平面における相対関係を示す。測定用マスク１４の測定開口２０は、測定光の光路の略全域に配置されている。支持部材９の配列透光穴１８および中央透光穴１９は、測定用マスク１４の測定開口２０の真上に位置し、各測定開口２０より一回り大きく開口している。つまり、配列透光穴１８および中央透光穴１９は、被検レンズ７によって、測定光が屈折しても、測定開口２０を貫通する光束を遮光せずに通過させる。
【００１９】
中央透光穴１９は、測定用マスク１４を中央部にのみ開口が形成された狭域測定用のものと交換したときに、狭域測定用のマスクを貫通した光束が遮光されないように大きく開口している。
【００２０】
保持突起１６および押さえ突起１１は、測定光の光軸と平行に突出しているので、光軸方向から見るとその面積が極小になり、殆ど測定光を遮光しない。押さえ装置１０のアーム１２は、測定用マスク１４の側方から、配列透光穴１８の間、換言すると、測定用マスク１４の射影内を延伸して、測定開口２０を貫通する光束を遮光せずに押さえ突起１１を測定光の光路内に保持している。
【００２１】
また、さらに、補強リブ１７は、配列透光穴１８の間を縫うように延伸し、各支持突起１６を互いに接続している。つまり、補強リブ１７も、測定光を遮光しないように、測定用マスク１４の射影内を延伸している。
【００２２】
以上の構成により、支持部材９は、支持突起１６を測定光の光軸近傍に保持しながら、測定用マスク１４を貫通してＣＣＤセンサ２４に結像する測定光の有効成分を殆ど遮光しない。
【００２３】
レンズメータ１では、支持突起１６が光軸の近傍に保持されているので、眼鏡フレーム入った被検レンズ７を、被検レンズ７の形状にかかわらず、その測定中心の裏面の高さが一定になるように保持できる。このため、屈折特性を正確に測定することができる。
【００２４】
また、図８に示す本発明の第２実施形態のレンズメータの支持部材９のように、ベース部材１５の配列透光穴１８も、複数の測定開口２０を包含するように形成してもよい。
【００２５】
さらに、図９に示す本発明の第３実施形態のレンズメータの支持部材９のように、ベース部材１５が板状ではなくフレーム状であってもよく、強度を付与するために測定光の光軸方向に厚みを持たせてもよい。
【図面の簡単な説明】
【００２６】
【図１】本発明の第１実施形態のレンズメータの斜視図。
【図２】図１のレンズメータの側面図。
【図３】図１のレンズメータの保持部の正面図。
【図４】図１のレンズメータの保持部の側面図。
【図５】図１のレンズメータの保持部材と測定用マスクとの斜視図。
【図６】図１のレンズメータの光学系の概略図。
【図７】図１のレンズメータの保持部の平面図。
【図８】本発明の第２実施形態のレンズメータの保持部材の斜視図。
【図９】本発明の第３実施形態のレンズメータの保持部材の斜視図。
【図１０】レンズと眼鏡フレームの関係を示す図。
【符号の説明】
【００２７】
１  レンズメータ
９  支持部材
１１  押さえ突起
１４  測定用マスク
１５  ベース部材
１６  支持突起
１７  補強リブ
１８  配列透光穴（透光部）
１９  中央透光穴（透光部）
２０  測定開口
【図１】
2008008719.tif 000003
【図２】
2008008719.tif 000004
【図３】
2008008719.tif 000005
【図４】
2008008719.tif 000006
【図５】
2008008719.tif 000007
【図６】
2008008719.tif 000008
【図７】
2008008719.tif 000009
【図８】
2008008719.tif 000010
【図９】
2008008719.tif 000011
【図１０】
2008008719.tif 000012